(57)【要約】【課題】撮影者が静止画を撮影する際の撮影の意図を反映し、撮影者による撮影前の操作内容を追体験することが可能な再生表示を行うことができる撮像装置を提供する。【解決手段】所定の視野領域から光を集光し、この集光した光を光電変換することによって画像データを生成する撮像部と、前記撮像部が生成した画像データに対応する画像を表示する表示部と、前記撮像部における撮影を指示するレリーズ信号が入力される入力部と、前記撮像部による撮影動作の前に行われた操作に関する操作情報および前記操作の最中に前記撮像部が順次自動的に撮像した画像からなる複数の補助画像を前記撮像部が前記レリーズ信号の入力に応じて撮影した撮影画像と関連付けて記憶する記憶部と、前記撮影画像を前記表示部で表示する前に該撮影画像に関連付けられた前記複数の補助画像を前記表示部に表示させる制御を行う制御部と、を備える。【選択図】        図１
2010193106.tif 000002
【特許請求の範囲】
【請求項１】
画像を撮像して該画像の電子的な画像データを生成する撮像装置であって、
所定の視野領域から光を集光し、この集光した光を光電変換することによって画像データを生成する撮像部と、
前記撮像部が生成した画像データに対応する画像を表示する表示部と、
前記撮像部における撮影を指示するレリーズ信号を含む信号の入力を受け付ける入力部と、
前記撮像部による撮影動作の前に行われた操作に関する操作情報および前記操作の最中に前記撮像部が順次自動的に撮像した画像からなる複数の補助画像を前記撮像部が前記レリーズ信号の入力に応じて撮影した撮影画像と関連付けて記憶する記憶部と、
前記撮影画像を前記表示部で表示する前に該撮影画像に関連付けられた前記複数の補助画像を前記表示部に表示させる制御を行う制御部と、
を備えたことを特徴とする撮像装置。
【請求項２】
前記制御部は、
互いに関連付けられた前記撮影画像および前記複数の補助画像を所定の順序で連続的に表示させる制御を行うことを特徴とする請求項１に記載の撮像装置。
【請求項３】
画像を表示する表示装置との間で画像データを含む情報の通信を行う通信部をさらに備え、
前記制御部は、
前記通信部に対し、互いに関連付けられた前記撮影画像および前記複数の補助画像を、前記表示部における表示順と同じ順序で前記表示装置へ連続的に送信させる制御を行うことを特徴とする請求項２に記載の撮像装置。
【請求項４】
前記制御部は、
前記補助画像の表示時間を前記撮影画像の表示時間よりも短くする制御を行うことを特徴とする請求項２または３に記載の撮像装置。
【請求項５】
互いに関連付けられた前記撮影画像および前記複数の補助画像を画像ごとに定められる小領域に対して画像データの生成順に貼付することにより、貼付枚数が互いに異なる複数の合成画像を生成する合成画像生成部をさらに備え、
前記制御部は、
前記複数の合成画像を貼付枚数が少ない順に前記表示部に連続的に表示させる制御を行うことを特徴とする請求項１に記載の撮像装置。
【請求項６】
画像を表示する表示装置との間で画像データを含む情報の通信を行う通信部をさらに備え、
前記制御部は、
前記通信部に対し、前記複数の合成画像を貼付枚数が少ない順に前記表示装置へ連続的に送信させる制御を行うことを特徴とする請求項５に記載の撮像装置。
【請求項７】
前記制御部は、
前記撮影画像を含む合成画像の表示時間を他の合成画像の表示時間よりも長くする制御を行うことを特徴とする請求項５または６に記載の撮像装置。
【請求項８】
前記補助画像は、前記撮影画像よりもデータ量が小さいことを特徴とする請求項１〜７のいずれか一項に記載の撮像装置。
【請求項９】
前記操作は、
ズーミング、露出補正またはパンニングであることを特徴とする請求項１〜８のいずれか一項に記載の撮像装置。
【発明の詳細な説明】
【技術分野】
【０００１】
本発明は、画像を撮像して該画像の電子的な画像データを生成する撮像装置に関する。
【背景技術】
【０００２】
近年、画像を撮像して電子的な画像データを生成するデジタルカメラ等の撮像装置では、撮影画像を他の機器で再生したり、他の機器と通信することによって画像データを送受信したりすることが行われるようになってきている。撮像装置と通信可能な機器として、テレビ、プロジェクタ、パソコン、デジタルフォトフレームなどのように、撮像装置の液晶パネルよりも大画面の表示部を備えた機器を挙げることができる。このような機器で撮像装置が撮像した画像を表示すれば、大人数で画像を見て楽しむことができる。
【０００３】
大人数で画像を見て楽しむ場合、画像を単に再生するだけでは単調になってしまうおそれもある。そこで、よりエンターテイメント性に優れ、皆が見て楽しむことができる画像の再生表示方法が求められる。
【０００４】
このような状況の下、動画に関しては、フレームごとの映像の動きを検出することによって撮影者による操作を推定し、撮影者による撮影の意図を反映した重要なフレームを抽出して表示する技術が開示されている（例えば、特許文献１を参照）。
【０００５】
【特許文献１】特開２００４−８８３５２号公報
【発明の開示】
【発明が解決しようとする課題】
【０００６】
ところで、上述した動画の場合と同様に、静止画の場合にも撮影者の撮影の意図を反映した再生を行うことが考えられる。ここで、撮影者の撮影の意図を反映した静止画の再生方法としては、撮影者が撮影前に行った操作内容を追体験できるような再生を行うことが考えられる。しかしながら、従来の撮像装置では、撮影者による撮影前の操作内容を追体験することが可能な再生表示を行う技術は知られていなかった。
【０００７】
本発明は、上記に鑑みてなされたものであって、撮影者が静止画を撮影する際の撮影の意図を反映し、撮影者による撮影前の操作内容を追体験することが可能な再生表示を行うことができる撮像装置を提供することを目的とする。
【課題を解決するための手段】
【０００８】
上述した課題を解決し、目的を達成するために、本発明に係る撮像装置は、画像を撮像して該画像の電子的な画像データを生成する撮像装置であって、所定の視野領域から光を集光し、この集光した光を光電変換することによって画像データを生成する撮像部と、前記撮像部が生成した画像データに対応する画像を表示する表示部と、前記撮像部における撮影を指示するレリーズ信号を含む信号の入力を受け付ける入力部と、前記撮像部による撮影動作の前に行われた操作に関する操作情報および前記操作の最中に前記撮像部が順次自動的に撮像した画像からなる複数の補助画像を前記撮像部が前記レリーズ信号の入力に応じて撮影した撮影画像と関連付けて記憶する記憶部と、前記撮影画像を前記表示部で表示する前に該撮影画像に関連付けられた前記複数の補助画像を前記表示部に表示させる制御を行う制御部と、を備えたことを特徴とする。
【０００９】
また、本発明に係る撮像装置は、上記発明において、前記制御部は、互いに関連付けられた前記撮影画像および前記複数の補助画像を所定の順序で連続的に表示させる制御を行うことを特徴とする。
【００１０】
また、本発明に係る撮像装置は、上記発明において、画像を表示する表示装置との間で画像データを含む情報の通信を行う通信部をさらに備え、前記制御部は、前記通信部に対し、互いに関連付けられた前記撮影画像および前記複数の補助画像を、前記表示部における表示順と同じ順序で前記表示装置へ連続的に送信させる制御を行うことを特徴とする。
【００１１】
また、本発明に係る撮像装置は、上記発明において、前記制御部は、前記補助画像の表示時間を前記撮影画像の表示時間よりも短くする制御を行うことを特徴とする。
【００１２】
また、本発明に係る撮像装置は、上記発明において、互いに関連付けられた前記撮影画像および前記複数の補助画像を画像ごとに定められる小領域に対して画像データの生成順に貼付することにより、貼付枚数が互いに異なる複数の合成画像を生成する合成画像生成部をさらに備え、前記制御部は、前記複数の合成画像を貼付枚数が少ない順に前記表示部に連続的に表示させる制御を行うことを特徴とする。
【００１３】
また、本発明に係る撮像装置は、上記発明において、画像を表示する表示装置との間で画像データを含む情報の通信を行う通信部をさらに備え、前記制御部は、前記通信部に対し、前記複数の合成画像を貼付枚数が少ない順に前記表示装置へ連続的に送信させる制御を行うことを特徴とする。
【００１４】
また、本発明に係る撮像装置は、上記発明において、前記制御部は、前記撮影画像を含む合成画像の表示時間を他の合成画像の表示時間よりも長くする制御を行うことを特徴とする。
【００１５】
また、本発明に係る撮像装置は、上記発明において、前記補助画像は、前記撮影画像よりもデータ量が小さいことを特徴とする。
【００１６】
また、本発明に係る撮像装置は、上記発明において、前記操作は、ズーミング、露出補正またはパンニングであることを特徴とする。
【発明の効果】
【００１７】
本発明によれば、撮像部による撮影動作の前に行われた操作に関する操作情報およびその操作の最中に撮像部が順次自動的に撮像した画像からなる複数の補助画像を撮像部がレリーズ信号の入力に応じて撮影した撮影画像と関連付けて記憶しておき、撮影画像を表示部で表示する前にその撮影画像に関連付けられた複数の補助画像を表示部に表示させるため、撮影者が静止画を撮影する際の撮影の意図を反映し、撮影者による撮影前の操作内容を追体験することが可能な再生表示を行うことができる。
【発明を実施するための最良の形態】
【００１８】
以下、添付図面を参照して本発明を実施するための最良の形態（以後、「実施の形態」と称する）を説明する。
【００１９】
（実施の形態１）
図１は、本発明の実施の形態１に係る撮像装置の構成を示すブロック図である。同図に示す撮像装置１は、所定の視野領域に含まれる被写体からの光を集光し、この集光した光を光電変換することによって得られる画像信号からデジタルの画像データを生成する撮像部２と、撮像部２が生成した画像データに対して画像処理を施す画像処理部３と、画像処理部３で処理が施された画像データに対応する画像を表示する表示部４と、レリーズ信号を含む撮像装置１の操作信号等の入力を受け付ける入力部５と、明るさを含む撮像部２の視野領域の状態を検知するセンサ部６と、撮影日時の判定機能やタイマー機能を有する時計７と、外部の機器との間で所定の通信方式による情報の送受信を行う通信部８と、撮像部２が撮影した画像の画像データを含む各種情報を記憶する記憶部９と、センサ部６の検知結果や入力部５から入力された操作信号に応じて撮像装置１の動作を制御する制御部１０と、を備える。
【００２０】
撮像部２は、一または複数のレンズによって構成され、所定の視野領域に存在する被写体からの光を集光する光学系と、光学系が集光した光の入射量を調整する絞りと、レリーズ入力に応じて動作するシャッタと、絞りおよびシャッタを通過した光を受光して電気信号に変換するＣＣＤ（Charge Coupled Device）等の撮像素子と、撮像素子から出力されるアナログ信号に増幅やホワイトバランス等の信号処理を施した後、Ａ／Ｄ変換を行うことによってデジタルの画像データを生成する信号処理回路とを有する。
【００２１】
表示部４は、液晶または有機ＥＬ等からなる表示パネルを用いて実現され、画像データのほかに撮像装置１の操作情報や撮影に関する情報を適宜表示する。
【００２２】
入力部５は、撮像装置１の電源ボタン、撮像指示を与えるレリーズ信号を入力するレリーズボタン、撮影時のズームや露出を調整するためのボタン、撮像装置１で設定可能な各種動作モードの切替を行うモード切替ボタン、画像データの再生や編集の指示を含む制御ボタン、などを有する。また、入力部５として表示部４にタッチパネルを積層することにより、ユーザが表示部４の上で操作信号の入力を行えるようにしてもよい。
【００２３】
センサ部６は、撮像装置１の動きを検出する加速度センサおよび／または角速度センサ、ＧＰＳ（Global Positioning System）から送られてくる情報を受信して撮像装置１の位置を検出する位置センサなどを有する。
【００２４】
通信部８は、画像を表示する表示装置２００との間で無線ＬＡＮ（Local Area Network）または赤外通信などの無線通信を行う。なお、通信部８と表示装置２００との間の通信を有線によって実現してもよい。
【００２５】
記憶部９は、撮像部２が撮影し、画像処理部３によって処理が施された画像の画像データを記憶する画像データ記憶部９１と、撮像装置１に対して撮影前に行われた操作に関する操作情報を記憶する操作情報記憶部９２と、撮像部２が撮影した撮影画像を撮影前に行われた操作に関する操作情報およびその操作の最中に撮像部２が所定の間隔で順次自動的に撮像した画像からなる複数の補助画像と関連付けて記憶する関連付情報記憶部９３と、撮像装置１が実行する各種プログラムを記憶するプログラム記憶部９４とを有する。記憶部９は、撮像装置１の内部に固定的に設けられるフラッシュメモリやＤＲＡＭ等の半導体メモリを用いて実現される。なお、記憶部９が、外部から装着されるメモリカード等のコンピュータ読取可能な記録媒体に対して情報を記録する一方、記録媒体が記録する情報を読み出す記録媒体インターフェースとしての機能を有してもよい。
【００２６】
制御部１０は、撮像装置１に対して行われる操作を判定する操作判定部１０１と、表示部４による表示や通信部８による送信を行う画像を所定の条件に基づいて選択する画像選択部１０２とを有する。制御部１０は、ＭＰＵ（Micro Processing Unit）等を用いて実現され、制御対象である撮像装置１の各構成部位とバスラインを介して接続されている。
【００２７】
図２は、以上の構成を有する撮像装置１で設定することが可能な主要モードの種類を示す図である。撮像装置１では、画像を撮影する撮影モードと、記憶部９で記憶する各種画像データを再生する再生モードとを少なくとも設定することができる。
【００２８】
このうち、撮影モードでは、通常撮影モードと特殊撮影モードとを設定することができる。特殊撮影モードとは、撮影前に行われるズーミング、露出補正またはパンニング等の操作時に撮像部２が撮像する画像を記憶しておき、その操作情報と対応付けて記憶するモードである。
【００２９】
一方、再生モードでは、通常再生モード、画像送信モード、スライドショーモードの３種類のモードを設定することができる。通常再生モードは、画像データ記憶部９１が記憶する画像のうち入力部５によって選択された画像を表示部４で再生表示するモードである。画像送信モードは、表示部４で再生表示している画像の画像データを表示装置２００へ送信するモードである。スライドショーモードは、複数の画像を所定の順序で自動的かつ連続的に表示部４で表示するとともに表示装置２００へ送信するモードである。
【００３０】
撮像装置１と通信し、撮像装置１から送信されてくる画像データに含まれる画像を表示する表示装置２００は、テレビ、プロジェクタ、パソコン、デジタルフォトフレームのいずれかを用いて実現することができる。表示装置２００は、撮像装置１から送信されてきた画像データに基づく画像の表示と、それ以外の機能に基づく画像の表示とを切り換える表示切換手段を具備している。
【００３１】
図３は、撮像装置１に特徴的な処理を行う状況を説明する図である。図３において、撮影者は、撮像装置１を用いて鹿Ｂの全身が写っている状態から徐々にズームアップしていき、鹿Ｂの顔を撮影したとする。このようにして撮影した画像を再生する際には、実際に撮影した鹿Ｂの顔を表示するだけでなく、鹿Ｂの顔を撮影するためにズームアップしていく過程の画像を表示することができれば、撮影者が画像を撮影する際の操作までも見ることができるため、撮影画像を単に再生表示するよりもエンターテイメント性の高い表示を行うことができる。本実施の形態１では、撮像装置１が特殊撮影モードに設定されている場合、撮影者による撮影前の操作を判定し、この操作情報とともに操作中の画像を補助画像として自動的に撮像して記憶しておく、その後、撮像装置１がスライドショーモードに設定されて撮影画像を再生する場合、補助画像画像および撮影画像を連続的に表示する。
【００３２】
図４は、スライドショーモードに設定された撮像装置１において、撮影者が撮影前にズーミング操作を行った場合の表示部４および表示装置２００における再生画像の表示例を示す図であり、図３に示す状況下で撮影した撮影画像を再生する場合の表示例を示す図である。図４において、表示部４には最初に表示される画像３０１で鹿Ｂが全身で写っており、その後、画像３０２、画像３０３と表示が入れ替わるにつれて徐々に鹿Ｂの顔がズームアップされている。３つの画像３０１〜３０３のうち、撮影者が撮影した画像が画像３０３であったとすると、他の画像３０１、３０２は撮影者のズーミング操作に応じて撮像装置１がスルー画像を記録することによって得た補助画像である。この場合、画像３０３の表示時間は、他の画像３０１、３０２の表示時間よりも長く設定される。このようにして画像３０１〜３０３を連続的に表示することにより、撮影者の撮影時における操作の概要を表示することが可能となる。その結果、画像の鑑賞者は、画像が単に再生表示される場合よりも撮影者の気分に浸りながら画像を鑑賞することができるようになる。なお、ここでは撮影者が撮影の前にズームアップ操作を行った場合を説明したが、撮影者が撮影の前にズームダウン操作を行った場合にも、同様にして再生表示を行うことができる。
【００３３】
図５は、撮影者が撮像装置１を特殊撮影モードに設定した状態で露出補正操作を行ってから撮影した場合の表示部４および表示装置２００における再生画像の表示例を示す図である。図５に示す場合、画像３０４はマイナスの露出補正を行った場合に相当している一方、画像３０６はプラスの露出補正を行った場合に相当している。３つの画像３０４〜３０６のうち、例えば画像３０６が撮影画像である場合には、画像３０６を他の補助画像（画像３０４、３０５）よりも長く表示する。これにより、スライドショーの鑑賞者は、どれが撮影画像であるかを的確に認識することができる。また、露出の異なる複数の画像を表示することにより、画面内の全ての場所を一連の画像のうちのいずれかの画像によって鮮明に表示することができる。
【００３４】
図６は、撮影者が撮像装置１を特殊撮影モードに設定した状態でパンニング操作により流し撮りした場合の再生画像の表示部４および表示装置２００における表示例を示している。撮像装置１は、センサ部６の検出結果に基づいて、本体の動きを検知することができる。この動きが所定の条件を満たす場合、撮像装置１はパンニング操作が行われたと認識し、その操作内容を操作情報記憶部９２へ記録する。図６において、３つの画像３０７〜３０９では、馬Ｈの位置はほぼ同じであるが、背景にある山Ｍの位置は徐々に右方向へ移動している。この場合にも、撮影画像の表示時間を他の補助画像（画像３０７〜３０９）の表示時間よりも長くすれば、鑑賞者は的確に撮影画像を認識することができる。なお、ここでは水平方向のパンニング操作を行った場合を説明したが、垂直方向のパンニング操作（チルティング操作）の場合にも同様に表示することができる。
【００３５】
通常の設定では、露出やピントなど、ほとんどの制御はオートでなされるので、撮影者がオート設定されている操作をあえて手動に切り換えて操作するのは、凝った画像を撮影したいと考えている場合だと想定することができる。したがって、上記の如く手動操作に対応した補助画像を記録することにより、撮影者の意図を明確に反映した再生表示を行うことが可能となる。
【００３６】
図７は、撮像装置１が撮影モードまたは再生モードに設定されている場合の処理の概要を示すフローチャートである。まず、撮影モードに設定されている場合を説明する（ステップＳ１：撮影モード）。
【００３７】
撮影モードのうち通常撮影モードに設定されている場合（ステップＳ２：通常撮影モード）、表示部４は、撮像部２が撮像している画像（スルー画像）を表示する（ステップＳ３）。この後、入力部５によってレリーズ信号が入力された場合（ステップＳ４：Ｙｅｓ）、撮像部２は撮影を行う（ステップＳ５）。その後、撮像装置１は、画像処理部３によって画像処理が施された画像の画像データを画像データ記憶部９１へ記録する（ステップＳ６）。入力部５によってレリーズ信号が入力されない場合（ステップＳ４：Ｎｏ）、撮像装置１は後述するステップＳ７へ進む。
【００３８】
ステップＳ７において、入力部５によって撮影を終了する信号が入力された場合（ステップＳ７：Ｙｅｓ）、撮像装置１は一連の処理を終了する。一方、ステップＳ７において、入力部５によって撮影を終了する信号が入力されない場合（ステップＳ７：Ｎｏ）、撮像装置１はステップＳ１へ戻る。
【００３９】
次に、撮像装置１が特殊撮影モードに設定されている場合を説明する（ステップＳ２：特殊撮影モード）。表示部４がスルー画像を表示（ステップＳ８）した後、撮像装置１に対してレリーズ以外の操作があった場合（ステップＳ９：Ｙｅｓ）、撮像装置１は操作情報を操作情報記憶部９２へ書き込んで記録するとともに、操作中に撮像部２が撮像するスルー画像を所定の間隔で画像データ記憶部９１へ書き込んで記録する（ステップＳ１０）。その後、入力部５によってレリーズ信号が入力されると（ステップＳ１１：Ｙｅｓ）、撮像部２は撮影動作を行う（ステップＳ１２）。この後、撮像装置１は、撮影した画像を操作情報および操作時のスルー画像（補助画像）と関連付けて関連付情報記憶部９３へ記録し（ステップＳ１３）、ステップＳ７へ進む。この際、制御部１０が、補助画像を撮影時の画像よりも小さいデータ量で関連付情報記憶部９３に記録する制御を行うようにすればより好ましい。
【００４０】
次に、撮像装置１が再生モードに設定されている場合（ステップＳ１４：Ｙｅｓ）を説明する。撮像装置１がスライドショーモードに設定されている場合（ステップＳ１４：Ｙｅｓ）、撮像装置１はユーザによって選択されたスライドショー用の画像を表示部４でスライドショー表示するとともに、通信部８によって表示装置２００へ順次送信する（ステップＳ１５）。その後、入力部５によって再生を終了する信号が入力された場合（ステップＳ１６：Ｙｅｓ），撮像装置１は一連の処理を終了する。一方、入力部５によって再生を終了する信号が入力されない場合（ステップＳ１６：Ｎｏ）、撮像装置１はステップＳ１へ戻る。
【００４１】
撮像装置１がスライドショーモードに設定されてなく（ステップＳ１４：Ｎｏ）、かつ画像送信モードに設定されている場合（ステップＳ１７：Ｙｅｓ）、撮像装置１は、ユーザによって選択された画像を表示部４で表示するとともに、通信部８によって表示装置２００へ送信する（ステップＳ１８）。表示装置２００は、撮像装置１から受信した画像を表示する。以下、表示装置２００に送信された画像は、表示装置２００で順次表示されるものとする。
【００４２】
その後、入力部５によって削除指示が入力された場合（ステップＳ１９：Ｙｅｓ）、撮像装置１は表示部４で表示している画像の画像データを画像データ記憶部９１から削除し（ステップＳ２０）、ステップＳ１６へ進む。一方、入力部５によって削除指示が入力されない場合（ステップＳ１９：Ｎｏ）、ステップＳ１６へ進む。
【００４３】
撮像装置１がスライドショーモードに設定されてなく（ステップＳ１４：Ｎｏ）、かつ画像送信モードにも設定されていない場合（ステップＳ１７：Ｎｏ）、撮像装置１は通常再生モードに設定されているため、撮影者によって選択された画像を表示部４で表示し（ステップＳ２１）、ステップＳ１９へ進む。
【００４４】
図８は、図７のステップＳ１５におけるスライドショー用の画像の表示、送信処理の詳細を示すフローチャートである。まず、ユーザによって選択されて再生する撮影画像と関連する補助画像がない場合（ステップＳ３１：Ｎｏ）、撮像装置１は撮影画像を表示部４で表示するとともに、通信部８によって表示装置２００へ送信する（ステップＳ３２）。その後、所定の時間ｔ0が経過したとき（ステップＳ３３：Ｙｅｓ）、次に表示すべき撮影画像があれば（ステップＳ３４：Ｙｅｓ）、撮像装置１はステップＳ３１へ戻る一方、次に表示すべき撮影画像がなければ（ステップＳ３４：Ｎｏ）、撮像装置１は図８に示すメインルーチンへ戻ってステップＳ１６へ進む。ステップＳ３３で時間ｔ0が経過していない場合（ステップＳ３３：Ｎｏ）、撮像装置１はステップＳ３３を繰り返す。
【００４５】
次に、ユーザによって選択されて再生する撮影画像と関連する補助画像がある場合（ステップＳ３１：Ｙｅｓ）を説明する。この場合、撮像装置１は、再生する撮影画像と関連する補助画像および操作情報を関連付情報記憶部９３から読み出す（ステップＳ３５）。
【００４６】
関連付情報記憶部９３から読み出した操作情報がズーミングである場合（ステップＳ３６：Ｙｅｓ）、操作判定部１０１はズーミングのスピード判定を行い（ステップＳ３７）、この判定結果に基づいて補助画像の表示時間ｔ1を設定する（ステップＳ３８）。ここで操作判定部１０１は、例えばズーミングのスピードが速いほど表示時間ｔ1を短くするように設定する。
【００４７】
続いて、画像選択部１０２は、再生する撮影画像と関連付けられた補助画像の中で、未表示でありかつ記録時刻（生成時刻）が最も早い補助画像を選択し、この選択した補助画像を表示部４で表示させるとともに通信部８を介して表示装置２００へ送信させる（ステップＳ３９）。
【００４８】
その後、表示部４が補助画像を表示し始めてから表示時間ｔ1が経過した場合（ステップＳ４０：Ｙｅｓ）、別に表示すべき補助画像があれば（ステップＳ４１：Ｙｅｓ）、ステップＳ３９へ戻る。一方、ステップＳ４１で別に表示すべき補助画像がなければ（ステップＳ４１：Ｎｏ）、画像選択部１０２は撮影画像を選択し、この選択した撮影画像を表示部４で表示させるとともに通信部８を介して表示装置２００へ送信させる（ステップＳ４２）。なお、表示部４が補助画像を表示し始めてから表示時間ｔ1が経過していない場合（ステップＳ４０：Ｎｏ）、撮像装置１はステップＳ４０を繰り返す。
【００４９】
ステップＳ４２で表示部４が撮影画像を表示し始めてから時間ｔ0が経過した場合（ステップＳ４３：Ｙｅｓ）、撮像装置１はステップＳ３４へ進む。一方、表示部４で撮影画像を表示し始めてから時間ｔ0が経過しない場合（ステップＳ４３：Ｎｏ）、撮像装置１はステップＳ４３を繰り返す。
【００５０】
このようにして、関連付情報記憶部９３が記憶する操作情報がズーミングに関するものである場合の処理を行うことにより、図４で示した表示が実現されることとなる。
【００５１】
関連付情報記憶部９３から読み出した操作情報がズーミングでなく（ステップＳ３６：Ｎｏ）、かつ露出補正である場合（ステップＳ４４：Ｙｅｓ）、画像選択部１０２は、再生する撮影画像に関連付けられた補助画像の中で補正量が最大の画像を選択する（ステップＳ４５）。その後、撮像装置１は、ステップＳ４５で選択した画像を表示部４で表示するとともに、通信部８を介して表示装置２００へ送信する（ステップＳ４６）。
【００５２】
画像選択部１０２が選択し、表示部４で表示した画像が撮影画像である場合（ステップＳ４７：Ｙｅｓ）、時間ｔ0が経過した時（ステップＳ４８：Ｙｅｓ）、表示すべき別の画像があれば（ステップＳ５０：Ｙｅｓ）、撮像装置１はステップＳ４５へ戻る。一方、ステップＳ５０で表示すべき別の画像がなければ（ステップＳ５０：Ｎｏ）、撮像装置１はステップＳ３４へ進む。なお、ステップＳ４８で時間ｔ0が経過していない時（ステップＳ４８：Ｎｏ）、撮像装置１はステップＳ４８を繰り返す。
【００５３】
画像選択部１０２が選択し、表示部４で表示した画像が撮影画像でない場合（ステップＳ４７：Ｎｏ）、表示部４が補助画像の表示を開始してから表示時間ｔ2が経過していれば（ステップＳ４９：Ｙｅｓ）、撮像装置１はステップＳ５０へ進む。一方、ステップＳ４９において表示時間ｔ2が経過していなければ（ステップＳ４９：Ｎｏ）、撮像装置１は、ステップＳ４９を繰り返す。なお、表示時間ｔ2は、撮影画像の表示時間ｔ0よりも小さい値として予め設定されている。
【００５４】
このようにして、関連付情報記憶部９３が記憶する操作情報が露出補正に関するものである場合の処理を行うことにより、図５で示した表示が実現されることとなる。
【００５５】
関連付情報記憶部９３から読み出した操作情報がズーミングでなく（ステップＳ３６：Ｎｏ）、かつ露出補正でない場合（ステップＳ４４：Ｎｏ）、操作情報はパンニングに関するものである。この場合、画像選択部１０２は、再生する撮影画像と関連付けられた未表示の補助画像の中で記録時刻が最も早い補助画像を選択し、この選択した補助画像を表示部４で表示させるとともに、通信部８に表示装置２００へ送信させる（ステップＳ５１）。表示部４が補助画像の表示を開始してから時間ｔ3が経過した場合（ステップＳ５２：Ｙｅｓ）、別に表示すべき補助画像があれば（ステップＳ５３：Ｙｅｓ）、撮像装置１はステップＳ５１へ戻る。一方、ステップＳ５３で別に表示すべき補助画像がなければ（ステップＳ５３：Ｎｏ）、撮像装置１は撮影画像を表示部４で表示するとともに、撮影画像を表示装置２００へ送信する（ステップＳ５４）。なお、表示部４が補助画像の表示を開始してから時間ｔ3が経過していない場合（ステップＳ５２：Ｎｏ）、撮像装置１はステップＳ５２を繰り返す。
【００５６】
ステップＳ５４で表示部４が補助画像の表示を開始してから時間ｔ0が経過した場合（ステップＳ５５：Ｙｅｓ）、撮像装置１はステップＳ３４へ進む。一方、ステップＳ５４で表示部４が補助画像の表示を開始してから時間ｔ0が経過していない場合（ステップＳ５５：Ｎｏ）、撮像装置１はステップＳ５５を繰り返す。
【００５７】
このようにして、関連付情報記憶部９３が記憶する操作情報がパンニングに関するものである場合の処理を行うことにより、図６で示した表示が実現されることとなる。
【００５８】
以上説明した本発明の実施の形態１によれば、撮像部２による撮影動作の前に行われた操作に関する操作情報およびその操作の最中に撮像部２が順次自動的に撮像した画像からなる複数の補助画像を撮像部２がレリーズ信号の入力に応じて撮影した撮影画像と関連付けて関連付情報記憶部９３で記憶しておき、撮影画像を表示部４で表示する前にその撮影画像に関連付けられた複数の補助画像を表示部４に表示させるスライドショー表示を行うため、撮影者が静止画を撮影する際の撮影の意図を反映した再生表示を行うことが可能となる。この結果、鑑賞者は撮影者の操作を追体験し、撮影者が撮影時に感じた心情に近い気持ちで再生画像を鑑賞することができる。
【００５９】
また、本実施の形態１によれば、表示部４と比較して大きな画面を有する表示装置２００へ画像データを送信することによって表示装置２００で画像を表示させることができるため、画像を大人数で見て楽しむことが可能となる。
【００６０】
なお、本実施の形態において、撮像装置１は、スライドショーモードに設定されている場合にのみ、特殊撮影モードで撮影した画像を図４〜図６に示すように再生表示することとしたが、他の再生モードで同様の表示を行うようにしてもよい。  
【００６１】
また、本実施の形態１において、撮像装置１は、画像送信モードやスライドショーモードに設定されている場合には、表示装置２００の存在の有無に関わらず画像データを送信するようにしていたが、画像データを送信する前に表示装置２００等の外部装置との通信が確立した場合に限って画像データを送信するような構成とすることも可能である。
【００６２】
（実施の形態２）
図９は、本発明の実施の形態２に係る撮像装置の構成を示すブロック図である。同図に示す撮像装置１１は、画像処理部１３の構成が撮像装置１と異なっている。具体的には、画像処理部１３は、互いに関連付けられた撮影画像および複数の補助画像を画像ごとに定められる小領域に対して画像データの生成順に貼付することにより、貼付枚数が互いに異なる複数の合成画像を生成する合成画像生成部１３１を有する。
【００６３】
図１０は、撮像装置１１がスライドショーモードに設定されている場合の表示部４におけるスライドショーの表示例を示す図である。図１０に示す場合、最初に表示部４および表示装置２００で表示される合成画像３１１では、時間的に最も早く生成された補助画像Ｐ1のみが予め設定された画面左上部の小領域に表示される。２番目に表示部４および表示装置２００で表示される合成画像３１２では、補助画像Ｐ1に加えて、画面右上部の小領域に補助画像Ｐ2が表示される。３番目に表示部４および表示装置２００で表示される合成画像３１３は、補助画像Ｐ1、Ｐ2に加えて、画面右下の小領域に補助画像Ｐ3が表示される。４番目に表示部４および表示装置２００で表示される合成画像３１４は、補助画像Ｐ1〜Ｐ3に加えて、画面左下の小領域に補助画像Ｐ4が表示される。最後に表示部４および表示装置２００で表示される合成画像３１５は、補助画像Ｐ1〜Ｐ4に加えて、画面中央部の小領域に撮影画像Ｐ5が補助画像Ｐ1〜Ｐ4よりも大きくかつ補助画像Ｐ1〜Ｐ4に重畳して表示される。合成画像３１１〜３１４の画像ごとの表示時間ｔ4は、合成画像３１５の表示時間ｔ5よりも短い。なお、図１０では、補助画像が４枚の場合を示しているが、補助画像の枚数が４枚以外であっても、同様に表示を行うことが可能である。また、複数の小領域を設定する際には、全ての小領域の面積を等しくしなくてもよい。
【００６４】
撮像装置１１が撮影モードまたは再生モードに設定されている場合の処理の概要は、図７のステップＳ１５におけるスライドショー用の画像の表示、送信処理の詳細を除いて、撮像装置１が撮影モードまたは再生モードに設定されている場合の処理の概要と同様である。そこで、以下では、図１１のフローチャートを参照して、スライドショー用の画像の表示、送信処理の詳細を説明する。
【００６５】
まず、ユーザによって選択されて再生する撮影画像と関連する補助画像がない場合（ステップＳ６１：Ｎｏ）、撮像装置１１は撮影画像を表示部４で表示するとともに、通信部８によって表示装置２００へ送信する（ステップＳ６２）。表示部４が画像の表示を開始してから表示時間ｔ0が経過した時（ステップＳ６３：Ｙｅｓ）、次に表示すべき撮影画像があれば（ステップＳ６４：Ｙｅｓ）、撮像装置１１はステップＳ６１へ戻る。一方、ステップＳ６４で次に表示すべき撮影画像がなければ（ステップＳ６４：Ｎｏ）、撮像装置１１は図８に示すメインルーチンへ戻ってステップＳ１６へ進む。なお、ステップＳ６３で時間ｔ0が経過していない場合（ステップＳ６３：Ｎｏ）、撮像装置１１はステップＳ６３を繰り返す。
【００６６】
次に、ユーザによって選択されて再生する撮影画像と関連する補助画像がある場合（ステップＳ６１：Ｙｅｓ）を説明する。この場合、撮像装置１１は、再生する撮影画像と関連する補助画像を関連付情報記憶部９３から読み出す（ステップＳ６５）。その後、画像処理部１３は、互いに関連付けられた撮影画像および補助画像の総数（ｎとする）に応じて小領域Ｄ1〜Ｄnを設定する（ステップＳ６６）。図１２は、小領域の設定例を示す図であり、図１０に示すスライドショー表示を行う場合の小領域の設定例であり、その総数ｎが５である場合を示している。図１２において、合成画像生成部１３１が補助画像Ｐ1〜Ｐ4をそれぞれ貼付する小領域Ｄ1〜Ｄ4は、画面を４等分した領域に相当する。また、合成画像生成部１３１が撮影画像Ｐ5を貼付する小領域Ｄ5は、画面の中央部に位置している。
【００６７】
続いて、制御部１０は繰り返しの回数をカウントするパラメータｍをゼロとし（ステップＳ６７）、パラメータｍを１増やした値（ｍ＋１）を新たなパラメータｍとおく（ステップＳ６８）。その後、合成画像生成部１３１は、少なくとも補助画像を含む画像Ｐ1〜Ｐmを小領域Ｄ1〜Ｄmにそれぞれ貼付した合成画像を生成する（ステップＳ６９）。
【００６８】
この後、表示部４がステップＳ６９で生成した合成画像を表示するとともに、通信部８がその合成画像を表示装置２００へ送信する（ステップＳ７０）。ここで、パラメータｍがｎに等しければ（ステップＳ７１：Ｙｅｓ）、表示部４は、表示時間ｔ0が経過するまで撮影画像Ｐnを表示する。表示部４が表示を開始してから表示時間ｔ0が経過した場合（ステップＳ７２：Ｙｅｓ）、撮像装置１１はステップＳ６４へ進む。一方、表示部４が表示を開始してから表示時間ｔ0が経過しない場合（ステップＳ７２：Ｎｏ）、撮像装置１１はステップＳ７２を繰り返す。
【００６９】
ステップＳ７１においてパラメータｍがｎと等しくない場合（ステップＳ７１：Ｎｏ）、表示部４は撮影画像Ｐnを表示せず、ｍ枚の補助画像Ｐ1〜Ｐmからなる合成画像を表示する。このため、表示部４は、表示を開始してから表示時間ｔ4が経過するまで合成画像を表示する。表示部４が表示を開始してから表示時間ｔ4が経過した場合（ステップＳ７３：Ｙｅｓ）、撮像装置１１はステップＳ６８へ戻る。一方、表示部４が表示を開始してから表示時間ｔ4が経過しない場合（ステップＳ７３：Ｎｏ）、撮像装置１１はステップＳ７３を繰り返す。
【００７０】
このようにして、撮像装置１１が補助画像を表示した後、撮影画像を表示することにより、図１０に示したスライドショーが実現されることとなる。
【００７１】
以上説明した本発明の実施の形態２によれば、撮像部２による撮影動作の前に行われた操作に関する操作情報およびその操作の最中に撮像部２が順次自動的に撮像した画像からなる複数の補助画像を撮像部２がレリーズ信号の入力に応じて撮影した撮影画像と関連付けて関連付情報記憶部９３で記憶しておき、撮影画像を表示部４で表示する前にその撮影画像に関連付けられた複数の補助画像を表示部４に表示させるスライドショー表示を行うため、撮影者が静止画を撮影する際の撮影の意図を反映した再生表示を行うことが可能となる。この結果、鑑賞者は撮影者の操作を追体験し、撮影者が撮影時に感じた心情に近い気持ちで再生画像を鑑賞することができる。
【００７２】
また、本実施の形態２によれば、合成画像生成部１３１が補助画像を徐々に増やしていき、最後に撮影画像とともに該撮影画像に関連付けられた全ての補助画像を表示するような制御を行うため、一段とエンターテイメント性に優れたスライドショー表示を実現することができる。このような合成画像の表示方法は、大画面を有する表示装置でスライドショー表示を行うのに好適である。
【００７３】
（その他の実施の形態）
ここまで、本発明を実施するための最良の形態として、実施の形態１、２を詳述してきたが、本発明はそれら二つの実施の形態によってのみ限定されるべきものではない。図１３は、本発明の別な実施の形態に係る撮像装置が撮影モードまたは再生モードに設定されている場合の処理の概要を示すフローチャートである。図１３において、図７のフローチャートと同じ処理については、図７と同じステップ番号を付してある。図１３に示すフローチャートでは、画像送信モードまたは通常再生モードに設定されている場合において画像の削除指示があったときの処理が、図７のフローチャートと異なっている。具体的には、ステップＳ１９で入力部によって削除指示が入力された場合（ステップＳ１９：Ｙｅｓ）、画像処理部は画像を小さい容量へリサイズする（ステップＳ２２）。具体的には、元の画像の５％程度の画像データへ縮小する。その後、撮像装置は、圧縮した画像を前後の撮影画像と関連付けて関連付情報記憶部へ記録し（ステップＳ２３）、元の画像を削除（ステップＳ２４）した後、ステップＳ１６へ進む。
【００７４】
このように、画像送信モードまたは通常再生モードに設定されている場合において削除指示が入力されたとき、削除対象の画像を補助画像化し、後でスライドショー表示を行う際に表示するようにしてもよい。
【００７５】
なお、ここでは画像送信モードまたは通常再生モードに設定されている場合において削除指示が入力された場合を説明したが、例えば通常撮影モードで撮影を行った直後に撮影者が削除できる構成とした場合には、撮影直後に削除された画像をリサイズして記憶しておき、その後で撮影されて保存された画像と関連付けるようにしてもよい。
【００７６】
また、本発明において、操作判定部が判定対象とする操作として上記以外の操作を含めることも可能である。
【図面の簡単な説明】
【００７７】
【図１】本発明の実施の形態１に係る撮像装置の構成を示すブロック図である。
【図２】本発明の実施の形態１に係る撮像装置で設定することが可能な主要モードの種類を示す図である。
【図３】本発明の実施の形態１に係る撮像装置に特徴的な処理を行う状況を説明する図である。
【図４】本発明の一実施の形態に係る撮像装置が特殊撮影モードに設定された状態で撮影した画像をスライドショーモードに設定された状態で再生表示する場合の画像の表示例（撮影前にズーミング操作が行われた場合）を示す図である。
【図５】本発明の一実施の形態に係る撮像装置が特殊撮影モードに設定された状態で撮影した画像をスライドショーモードに設定された状態で再生表示する場合の画像の表示例（撮影前に露出補正操作が行われた場合）を示す図である。
【図６】本発明の一実施の形態に係る撮像装置が特殊撮影モードに設定された状態で撮影した画像をスライドショーモードに設定された状態で再生表示する場合の画像の表示例（撮影前にパンニング操作が行われた場合）を示す図である。
【図７】本発明の実施の形態１に係る撮像装置が撮影モードまたは再生モードに設定されている場合の処理の概要を示すフローチャートである。
【図８】本発明の実施の形態１に係る撮像装置がスライドショーモードに設定されている場合にスライドショー用の画像の表示、送信処理の詳細を示すフローチャートである。
【図９】本発明の実施の形態２に係る撮像装置の構成を示すブロック図である。
【図１０】本発明の実施の形態２に係る撮像装置がスライドショーモードに設定されている場合の表示部における表示例を示す図である。
【図１１】本発明の実施の形態２に係る撮像装置がスライドショーモードに設定されている場合にスライドショー用の画像の表示、送信処理の詳細を示すフローチャートである。
【図１２】小領域の設定例を示す図である。
【図１３】本発明の別な実施の形態に係る撮像装置が撮影モードまたは再生モードに設定されている場合の処理の概要を示すフローチャートである。
【符号の説明】
【００７８】
１、１１  撮像装置
２  撮像部
３、１３  画像処理部
４  表示部
５  入力部
６  センサ部
７  時計
８  通信部
９  記憶部
１０  制御部
９１  画像データ記憶部
９２  操作情報記憶部
９３  関連付情報記憶部
９４  プログラム記憶部
１０１  操作判定部
１０２  画像選択部
２００  表示装置
３０１〜３０９  画像
３１１〜３１５  合成画像
Ｂ  鹿
Ｈ  馬
Ｍ  山
Ｄ1〜Ｄ5  小領域
【図１】
2010193106.tif 000003
【図２】
2010193106.tif 000004
【図３】
2010193106.tif 000005
【図４】
2010193106.tif 000006
【図５】
2010193106.tif 000007
【図６】
2010193106.tif 000008
【図７】
2010193106.tif 000009
【図８】
2010193106.tif 000010
【図９】
2010193106.tif 000011
【図１０】
2010193106.tif 000012
【図１１】
2010193106.tif 000013
【図１２】
2010193106.tif 000014
【図１３】
2010193106.tif 000015